(57)【要約】      （修正有）【課題】使用後の美容剤の散逸を容易に抑止可能なリムーバー用カバーを提供する。【解決手段】磁力を発生する磁力発生面を備えた吸着ヘッド部２０を一端に有する略棒状のリムーバー２の吸着ヘッド部２０に着脱可能に装着されるリムーバー用カバー１である。カバー１は、吸着ヘッド部２０の先端から少なくとも磁力発生面までを覆う袋状のカバー本体部１０と、カバー本体部１０の開口端１１から延設形成された把持部１２とを有している。カバー本体部１０は、表裏反転変形可能に構成されている。【選択図】図１
2014033949.tif 000002
【特許請求の範囲】
【請求項１】
磁力を発生する磁力発生面を備えた吸着ヘッド部を一端に有する略棒状のリムーバーの上記吸着ヘッド部に着脱可能に装着されるリムーバー用カバーであって、
上記吸着ヘッド部の先端から少なくとも上記磁力発生面までを覆う袋状のカバー本体部と、
該カバー本体部の開口端から延設形成された把持部とを有しており、
上記カバー本体部は、表裏反転変形可能に構成されていることを特徴とするリムーバー用カバー。
【請求項２】
請求項１に記載のリムーバー用カバーにおいて、上記カバー本体部は伸縮性を有しており、上記吸着ヘッド部を覆った状態において伸長状態となるよう構成されていることを特徴とするリムーバー用カバー。
【請求項３】
請求項１または２に記載のリムーバー用カバーにおいて、上記カバー本体部は、その内表面が凹凸面よりなり、外表面が平滑面よりなることを特徴とするリムーバー用カバー。
【請求項４】
請求項１〜３のいずれか１項に記載のリムーバー用カバーにおいて、上記吸着ヘッド部は、上記カバー本体部により覆われる部分が上記リムーバーの長手方向と略直交する方向に膨出した膨出部を有し、その頂面部分に上記磁力発生面を有していることを特徴とするリムーバー用カバー。
【請求項５】
請求項１〜４のいずれか１項に記載のリムーバー用カバーにおいて、該リムーバー用カバーは、２枚のシート材を重ねるとともに、その周囲の一部を接合することにより形成されていることを特徴とするリムーバー用カバー。
【請求項６】
請求項５に記載のリムーバー用カバーにおいて、上記２枚のシート材は、それぞれ上記カバー本体部となる本体領域と上記把持部となる把持部領域とを連ねた形状を有しており、上記本体領域の外周部のみが接合され、２つの上記把持部が設けられていることを特徴とするリムーバー用カバー。
【請求項７】
請求項６に記載のリムーバー用カバーにおいて、上記２枚のシート材の上記把持部領域は、同一の形状を有していることを特徴とするリムーバー用カバー。
【請求項８】
請求項５に記載のリムーバー用カバーにおいて、上記２枚のシート材は、一方が上記カバー本体部となる本体領域と上記把持部となる把持部領域とを連ねた形状を有し、他方が上記本体領域のみを備えた形状を有しており、上記本体領域の外周部のみが接合され、１つの上記把持部が設けられていることを特徴とするリムーバー用カバー。
【請求項９】
請求項６〜８のいずれか１項に記載のリムーバー用カバーにおいて、上記２枚のシート材の上記本体領域の外周形状は円弧状を呈していることを特徴とするリムーバー用カバー。
【発明の詳細な説明】
【技術分野】
【０００１】
本発明は、ペースト状の美容剤を磁力によって吸着除去するリムーバーに装着するリムーバー用カバーに関する。
【背景技術】
【０００２】
美容のために用いられるペースト状の美容剤には、塗布後に時間をおくことで皮膜状になるものと、時間をおいてもペースト状態を維持するものとに大別される。塗布後に皮膜状になる美容剤は、その一部を把持して引き剥がすことにより、容易に肌から分離することができる。一方、塗布後にペースト状態を維持する美容剤を使用後に肌から除去する方法としては、コットン等による拭き取りや、ぬるま湯等により洗い落とす方法が一般的である。最近では、これらの一般的方法よりもより簡便に使用後の美容剤を除去する方法が望まれていた。
【０００３】
例えば特許文献１や特許文献２に開示されるように、鉄粉を混合した美容剤と、本体に磁石を備えたリムーバーとを組み合わせて用いる方法が提案されている。特許文献１や特許文献２に記載のリムーバーは、本体の磁石をキャップ部により覆っており、磁石の磁力により美容剤中の鉄粉をキャップ部の表面に吸着させることができるよう構成されている。
【０００４】
また、これらのリムーバーは、キャップ部をスライド可能に設けてあり、キャップ部と磁石との間の距離を変化させることができるよう構成されている。これにより、使用後の美容剤が付着した鉄粉をキャップ部に吸着させた後、キャップ部を磁石から離す方向にスライドして鉄粉に作用する磁力を弱めることにより、鉄粉及びこれに付着する美容剤をキャップ部から除去しやすくすることができる。
【先行技術文献】
【特許文献】
【０００５】
【特許文献１】特開２００５−３１２４９７号公報
【特許文献２】特開２００４−１８７８７４号公報
【発明の概要】
【発明が解決しようとする課題】
【０００６】
特許文献１や特許文献２に記載のリムーバーは、キャップ部をスライドさせて磁石から離すことにより、鉄粉に作用する磁力を弱めることができる。そのため、キャップ部をスライドさせれば容易に鉄粉を落下させることができる一方、不用意にキャップ部をスライドさせてしまうと、吸着されていた鉄粉がキャップ部から意図せず脱落して散逸するおそれがあり、使用しづらいものとなっていた。
【０００７】
本発明は、上記の背景に鑑みてなされたもので、使用後の美容剤の散逸を容易に抑止可能なカバーを提供しようとするものである。
【課題を解決するための手段】
【０００８】
本発明の一態様は、磁力を発生する磁力発生面を備えた吸着ヘッド部を一端に有する略棒状のリムーバーの上記吸着ヘッド部に着脱可能に装着されるリムーバー用カバーであって、
上記吸着ヘッド部の先端から少なくとも上記磁力発生面までを覆う袋状のカバー本体部と、
該カバー本体部の開口端から延設形成された把持部とを有しており、
上記カバー本体部は、表裏反転変形可能に構成されていることを特徴とするリムーバー用カバーにある（請求項１）。
【発明の効果】
【０００９】
上記カバーは、袋状の上記カバー本体部内に上記吸着ヘッド部を挿入して上記リムーバーに装着される。これにより、上記カバー本体部は、上述のように上記磁力発生面を覆うように配される。そのため、磁力により吸着され得る美容剤を塗布した肌面に上記カバーを装着したリムーバーの吸着ヘッド部を近づけた場合、美容剤が上記磁力発生面の磁力により該磁力発生面を覆う上記カバーの表面に吸着される。
【００１０】
上記カバーの表面に吸着された美容剤を廃棄する方法としては、様々な方法をとり得るが、例えば次のように行うことができる。
【００１１】
リムーバーの使用後、上記カバー本体部は、吸着された美容剤と磁力発生面との間に磁力によって狭持された状態となり、吸着ヘッド部の磁力発生面上に接触した状態に維持されている。このような状態において、リムーバーの使用者は、上記磁力発生面を上方に向けた状態で、上記把持部を上記吸着ヘッド部の先端側へ向けて表裏反転変形させる。
【００１２】
次いで、使用者は、上記把持部を上記吸着ヘッド部の先端方向へ変位させつつ、上記カバー本体部を吸着ヘッド部から引き剥がすようにして表裏反転変形させる。これにより、吸着された美容剤は、カバー本体部における吸着ヘッド部から引き剥がされた部分と、磁力発生面上に接触している部分との間に形成される折り返し部分に寄せ集められる。
【００１３】
その後、引き続き上記把持部を吸着ヘッド部の先端方向へ変位させ、上記カバー本体部の表裏反転変形を完了させると、美容剤がカバー本体部内に収容された状態となる。そのため、上記カバーは、該カバーを吸着ヘッド部から引き剥がす際に、美容剤がカバー外部に漏出して吸着ヘッド部に直接吸着することを抑制できる。また、このようにカバー本体部内に収容された美容剤は、上記カバー内に収容された状態で美容剤の廃棄場所に廃棄することができる。
【００１４】
このように、上記カバーは、着脱可能に上記吸着ヘッド部に装着することができ、かつ、表裏反転変形可能な袋状に形成されている。これにより、上述したように、リムーバーにより肌から取り除いた美容剤がカバー外部へ漏出する等、意図せず散逸することを抑制することができ、リムーバーの使いやすさを向上させることができる。
【図面の簡単な説明】
【００１５】
【図１】実施例１における、カバーをリムーバーに装着した状態の斜視図。
【図２】実施例１における、カバーを装着したリムーバーを磁力発生面側（下方）から見た平面図。
【図３】実施例１における、カバーの斜視図。
【図４】実施例１における、シート材を厚み方向から見た平面図。
【図５】実施例１における、カバーを表裏反転変形させている途中状態を示す断面図。
【図６】実施例２における、２枚のシート材に各々異なる形状の把持部を形成したカバーの斜視図。
【図７】実施例３における、一方のシート材のみに把持部を形成したカバーの斜視図。
【発明を実施するための形態】
【００１６】
上記リムーバー用カバーにおいて、上記カバー本体部は伸縮性を有しており、上記吸着ヘッド部を覆った状態において伸長状態となるよう構成されていることが好ましい（請求項２）。つまり、上記カバー本体部は、上記吸着ヘッド部に装着された状態において当該吸着ヘッド部の外形に沿って自然状態よりも引き伸ばされていることが好ましい。この場合には、上記カバー本体部は、上記吸着ヘッド部の外形に倣った形状となり、カバー本体部と吸着ヘッド部との間にしわ等による空隙が生じにくくなる。そのため、上記カバーは、美容剤に作用する磁力が上述の空隙により弱まることを抑制し、美容剤を確実に吸着させることができる。
【００１７】
また、上記カバー本体部は、その内表面が凹凸面よりなり、外表面が平滑面よりなるよう形成されていてもよい（請求項３）。この場合には、上記カバーは、上記カバー本体部の内表面と上記吸着ヘッド部との接触面積が比較的小さいものとなる。これにより、上記カバー本体部は、上記吸着ヘッド部を挿入する際の摩擦力を適度に軽減できるものとなる。その結果、上記カバーは、上記吸着ヘッド部により装着しやすいものとなる。
【００１８】
また、上記凹凸面は、上記把持部に形成されていてもよい。この場合には、使用者が上記把持部を把持する際に、上記把持部と使用者の指とが滑りにくくなり、上記カバーがより使用しやすいものとなる。
【００１９】
また、上記吸着ヘッド部は、上記カバー本体部により覆われる部分が上記リムーバーの長手方向と略直交する方向に膨出した膨出部を有し、その頂面部分に上記磁力発生面を有していてもよい（請求項４）。この場合には、上記リムーバーは、磁力発生面がリムーバーの長手方向における先端面に形成される場合よりも上記磁力発生面の面積を広くしやすくなり、該磁力発生面に吸着される美容剤の量が多くなる。そのため、このようなリムーバーに上記リムーバー用カバーを用いることにより、美容剤の意図しない散逸を防止する作用効果をより効果的に発揮させることができる。
【００２０】
また、上記リムーバー用カバーは、２枚のシート材を重ねるとともに、その周囲の一部を接合することにより形成されていてもよい（請求項５）。この場合には、上記カバーは、安価に入手可能なシート材を用いることによるコストメリットを受けることができるものとなる。また、２枚のシート材を接合することにより、シート本体部の袋状構造の形成工程が、真空成形や圧縮成形等の他の成形方法に比べて簡素なものとなる。その結果、上記カバーは、安価かつ生産性のより高いものとなる。
【００２１】
この場合において、上記シート材の材質は、公知の材料の中から表裏反転変形が可能なものを適宜選択することができ、例えば、布材や、ポリエチレン、ポリプロピレン、ナイロン、ポリビニルアルコール、ウレタンあるいはシリコーン等の種々の樹脂をフィルム状に成型したものを使用することができる。例えばポリエチレンを用いる場合には、厚さが０．０２〜０．２ｍｍのものを使用することができる。
【００２２】
また、この場合において、上記２枚のシート材間の接合は、接着剤による接着や熱圧着等の公知の方法によって行うことができる。
【００２３】
また、上記２枚のシート材は、それぞれ上記カバー本体部となる本体領域と上記把持部となる把持部領域とを連ねた形状を有しており、上記本体領域の外周部のみが接合され、２つの上記把持部が設けられていてもよい（請求項６）。この場合には、２つの上記把持部をそれぞれ吸着ヘッド部の先端方向へ変位させることにより、上記カバーを吸着ヘッド部から引き剥がす際の表裏反転変形をより容易に行うことができる。その結果、上記カバーはより使用しやすいものとなる。
【００２４】
また、上記２枚のシート材の上記把持部領域は、同一の形状を有していてもよい（請求項７）。この場合には、２枚のシート材が互いに同一形状となるため、上記カバーの生産効率をより向上させることが容易となる。
【００２５】
また、上記２枚のシート材は、一方が上記カバー本体部となる本体領域と上記把持部となる把持部領域とを連ねた形状を有し、他方が上記本体領域のみを備えた形状を有しており、上記本体領域の外周部のみが接合され、１つの上記把持部が設けられていてもよい（請求項８）。上記把持部は、上記カバーに少なくとも１つ配設されていれば、上述のように上記カバー本体部の表裏反転変形を行うことができる。
【００２６】
また、上記２枚のシート材の上記本体領域の外周形状は円弧状を呈していてもよい（請求項９）。この場合には、上記カバーは、上記吸着ヘッド部への装着や表裏反転変形の際等に、上記カバーの変形に伴う応力が上記シート材の接合領域に集中しにくい形状となる。そのため、上記カバーは、上記吸着ヘッドへの着脱時等に破れにくくなり、美容剤が漏出しにくいものとなる。
【実施例】
【００２７】
（実施例１）
上記リムーバー用カバーの実施例について、図１〜図５を用いて説明する。リムーバー用カバー１は、図１、図２及び図５に示すように、磁力を発生する磁力発生面２０１を備えた吸着ヘッド部２０を一端に有する略棒状のリムーバー２の吸着ヘッド部２０に着脱可能に装着される。カバー１は、図１及び図２に示すように、吸着ヘッド部２０の先端から少なくとも磁力発生面２０１までを覆う袋状のカバー本体部１０と、カバー本体部１０の開口端１１から延設形成された把持部１２とを有している。そして、図５に示すように、カバー１は、表裏反転変形可能に構成されている。
【００２８】
カバー１は、図３及び図４に示すように、同一形状の２枚のシート材３（３ａ、３ｂ）を重ねるとともに、その周囲の一部を接合することにより形成されている。２枚のシート材３は、図４に示すように、それぞれカバー本体部１０となる本体領域Ａと把持部１２となる把持部領域Ｂとを連ねた形状を有している。
【００２９】
図４に示すように、２枚のシート材３の本体領域Ａの外周形状は円弧状を呈している。また、２枚のシート材３は、本体領域Ａの外周部３０のみが互いに接合されている。これにより、カバー１の開口端１１は、図３及び図４に示すように、２枚のシート材３における本体領域Ａと把持部領域Ｂとの境界Ｃ、即ち上述した本体領域Ａの接合部分（外周部３０）の両端間を結ぶ直線上に形成される。
【００３０】
また、２枚のシート材３の把持部領域Ｂは、図４に示すように、本体領域Ａとの境界Ｃを基端として本体領域Ａと反対側へ向けて延伸され、先端へ向かうにつれて次第に幅が狭くなるように形成されている。また、把持部領域Ｂの先端は、略半円状を呈している。カバー１は、上述のように形成された２つの把持部１２（１２ａ、１２ｂ）を有している。
【００３１】
シート材３は、最厚部の厚さが０．０５ｍｍであるメタロセン低密度ポリエチレンより構成されている。これにより、カバー１は、表裏反転変形が可能な程度の柔軟性とともに伸縮性を有しており、後述するように、吸着ヘッド部２０を覆った状態において伸長状態となるよう構成されている。
【００３２】
また、シート材３は、その一方の面にエンボス加工が施されており、円柱状の微小な凸部（図示略）が厚み方向に多数立設されている。これにより、シート材３の一方の面が凹凸面となり、他方の面が平滑面となる。カバー１は、上述した２枚のシート材３の凹凸面を内側にして重ね合わせることにより、図３に示す内表面１３が凹凸面よりなり、外表面１４が平滑面よりなるよう構成されている。
【００３３】
次に、カバー１を装着するリムーバー２について説明する。なお、以下において、リムーバー２に関する方向は、特に断りのない限り、長手方向における吸着ヘッド部２０を有する端部の方向を前方とし、その反対側を後方とする。また、磁力発生面２０１の設けられた方向を下方とし、その逆方向を上方とする。また、前後方向及び上下方向の双方と直交する方向を側方ということがある。これらの方向表示は便宜上のものであり、リムーバー２の使用時における実際の向きとは何ら関係がない。
【００３４】
カバー１を装着するリムーバー２は、図１及び図５に示すように、側方から見たときに、前後方向（長手方向）の略中央部が両端部に対して上方に位置するように湾曲して形成されている。また、リムーバー２の両端部は、図２に示すように、上下方向から見たときの外形線が略円弧状を呈している。また、リムーバー２の長手方向の中央部は、上下方向から見たときに両端に比べて幅狭に形成されている。
【００３５】
図２及び図５に示すように、リムーバー２の先端側に配された吸着ヘッド部２０は、カバー本体部１０により覆われる部分がリムーバー２の長手方向と略直交する方向（下方）に膨出した膨出部２００を有している。また、膨出部２００は、その頂面部分に平坦面よりなる磁力発生面２０１を有している。
【００３６】
また、本例のリムーバー２は、その側周面に第１電極２１と第２電極２２とを有している。第１電極２１は、図２に示すように、リムーバー２の後方端部に配設されており、電極面が下方を向いている。第２電極２２は、図１に示すように、吸着ヘッド部２０における上方、つまり磁力発生面２０１の反対側に配設されている。
【００３７】
また、本例のリムーバー２は、人体肌上に塗布された電荷を有する美容成分を、第１電極２１と第２電極２２との間の電位差により肌内部に浸透させるイオン導入器として構成されている。即ち、リムーバー２は、第１電極２１と第２電極２２との間に電位差を発生させることにより、人体肌上に塗布された電荷を有する美容成分を肌内部に浸透させることができるよう構成されている。また、本例のリムーバー２は、第１電極２１と第２電極２２との双方が人体と接触したことを契機として、第１電極２１と第２電極２２との間に電位差を発生することができるよう構成されている。
【００３８】
次に、カバー１の使用方法の例を説明する。使用者は、美容効果を得たい肌面に予めペースト状の美容剤４を塗布しておく。そして、使用者は、美容剤４を除去する際に、カバー１を構成する２枚のシート材３のうち、一方のシート材３ａを下方（磁力発生面２０１側）に、他方のシート材３ｂを上方に向けてカバー１の開口端１１から吸着ヘッド部２０を挿入し、カバー１を吸着ヘッド部２０に装着する。
【００３９】
カバー１が吸着ヘッド部２０に装着された状態において、一方のシート材３ａに設けられた把持部１２ａと、他方のシート材３ｂに設けられた把持部１２ｂとは、図１に示すように、リムーバー２を挟んで上下方向における互いに反対側に配置される。また、図２に示すように、下方側のシート材３ａの本体領域Ａは、磁力発生面２０１を覆うように配置される。このとき、シート材３ａ及び３ｂそれぞれの本体領域Ａは膨出部２００を含む吸着ヘッド部２０に沿って自然状態よりも伸長した伸長状態となっている。そして、シート材３ａの本体領域Ａにおける磁力発生面２０１と当接する部分が略平坦面となっている。
【００４０】
次いで、使用者は、美容剤４が塗布された肌面に、カバー１を装着したリムーバー２の吸着ヘッド部２０を近づける。これにより、美容剤４が、磁力発生面２０１の磁力により、磁力発生面２０１を覆うカバー本体部１０の表面に吸着される。このとき、カバー本体部１０は、吸着された美容剤４と磁力発生面２０１との間に磁力によって狭持された状態となり、吸着ヘッド部２０の磁力発生面２０１上に接触した状態に維持されている。
【００４１】
上述のようにカバー本体部１０の表面に吸着された美容剤４を廃棄する際、使用者は、２つの把持部１２ａと１２ｂとを吸着ヘッド部２０の先端側へ向けて表裏反転変形させる。把持部１２の表裏反転変形は、美容剤４が磁力発生面２０１からの磁力により吸引されるため、リムーバー２をどの方向に向けて行ってもよいが、美容剤４の散逸を低減する観点から、磁力発生面２０１を上方に向けた状態で行うことが好ましい。
【００４２】
次いで、使用者は、把持部１２ａと１２ｂとを交互に吸着ヘッド部２０の先端方向へ変位させつつ、図５に示すように、カバー本体部１０を吸着ヘッド部２０から引き剥がすようにして表裏反転変形させる。これにより、吸着された美容剤４は、カバー本体部１０における吸着ヘッド部２０から引き剥がされた部分と、磁力発生面２０１上に接触している部分との間に形成される折り返し部分１５に寄せ集められる。
【００４３】
その後、引き続き把持部１２を吸着ヘッド部２０の先端方向へ変位させ、カバー本体部１０の表裏反転変形を完了させると、美容剤４がカバー本体部１０内に収容された状態となる。このようにカバー本体部１０内に収容された美容剤４は、カバー１内に収容された状態で美容剤４の廃棄場所に廃棄することができる。なお、上述したカバー本体部１０の表裏反転変形は、吸着ヘッド部２０の先端を上方へ向けた状態で行うことも可能である。
【００４４】
次に、本例の作用効果について説明する。カバー１は、図１に示すように着脱可能に吸着ヘッド部２０に装着することができ、かつ、表裏反転変形可能な袋状に形成されている。そのため、リムーバー２により肌から取り除いた美容剤４がカバー外部へ漏出する等、意図せず散逸することを抑制することができる。
【００４５】
また、図４に示すように、カバー１を構成する２枚のシート材３が、それぞれカバー本体部１０となる本体領域Ａと把持部１２となる把持部領域Ｂとを連ねた形状を有している。そして、図３に示すように本体領域Ａの外周部３０のみが接合され、２つの把持部１２が設けられている。そのため、２つの把持部１２をそれぞれ吸着ヘッド部２０の先端方向へ変位させることにより、カバー１を吸着ヘッド部２０から引き剥がす際の表裏反転変形をより容易に行うことができる。その結果、カバー１はより使用しやすいものとなる。
【００４６】
また、カバー本体部１０は伸縮性を有しており、吸着ヘッド部２０を覆った状態において伸長状態となるよう構成されている。そのため、カバー本体部１０は、吸着ヘッド部２０の外形に倣った形状となり、カバー本体部１０と吸着ヘッド部２０との間にしわ等による空隙が生じにくくなる。そのため、カバー１は、美容剤４に作用する磁力が上述の空隙により弱まることを抑制し、美容剤４を確実に吸着させることができる。
【００４７】
また、カバー１は、その内表面１３が凹凸面よりなり、外表面１４が平滑面よりなるよう形成されている。そのため、カバー本体部１０は、吸着ヘッド部２０を挿入する際の摩擦力を適度に軽減できるものとなる。その結果、カバー１は、吸着ヘッド部２０により装着しやすいものとなる。また、上記凹凸面が把持部１２にも形成されているため、把持部１２と使用者の指とが滑りにくくなり、カバー１がより使用しやすいものとなる。
【００４８】
また、吸着ヘッド部２０は、カバー本体部１０により覆われる部分がリムーバー２の下方に膨出した膨出部２００を有し、その頂面部分に磁力発生面２０１を有している。これにより、磁力発生面２０１がリムーバー２の長手方向における先端面に形成される場合よりもリムーバー２は、磁力発生面２０１の面積を広くしやすくなり、磁力発生面２０１に吸着される美容剤４の量が多くなる。そのため、カバー１は、リムーバー２に適用することにより、美容剤４の意図しない散逸を防止する作用効果をより効果的に発揮させることができるものとなる。
【００４９】
また、カバー１は、２枚のシート材３を重ねるとともに、その周囲の一部を接合することにより形成されている。そのため、上述のようにカバー１は安価かつ生産性のより高いものとなる。
【００５０】
また、２枚のシート材３の本体領域Ａの外周形状は円弧状を呈している。そのため、カバー１は、吸着ヘッド部２０への装着や表裏反転変形の際等に、カバー１の変形に伴う応力がシート材３の接合領域（外周部３０）に集中しにくい形状となる。そのため、カバー１は、脱着時等に破れにくくなり、美容剤４が漏出しにくいものとなる。
【００５１】
このように、カバー１は、着脱可能に吸着ヘッド部２０に装着することができ、かつ、表裏反転変形可能な袋状に形成されている。これにより、上述したように、リムーバー２により肌から取り除いた美容剤４を、意図に反して散逸することを抑制することができ、リムーバー２の使いやすさを向上させることができる。
【００５２】
なお、本例のリムーバー２をイオン導入器として用いる場合には、以下のようにして使用することができる。使用者は、リムーバー２を使用する前に、予め電荷を帯びた美容成分を肌に塗布しておく。なお、当該電荷を帯びた美容成分は、磁力により吸引されないものであれば、予め美容剤４と混合しておくこともできる。この場合には、リムーバー２により美容剤４を肌表面から除去した後に、上記美容成分が肌表面に残り、塗布された状態となる。上記美容成分としては、例えば、Ｌ−アスコルビン酸−２−リン酸ナトリウム等を使用することができる。
【００５３】
使用者は、第１電極２１が手から突出し、かつ、第２電極２２が手と接触するようにリムーバー２を把持する。そして、使用者は、このようにリムーバー２を把持した状態で第１電極２１を肌表面に接触させる。リムーバー２は、第１電極２１と第２電極２２との双方が肌表面と接触したことを契機として、両電極の間に電位差を発生させる。これにより、第１電極２１から肌表面にイオン導入電流が流れ、これに伴って美容成分が肌内部へ浸透する。
【００５４】
（実施例２）
本例のカバー１０２は、実施例１におけるカバー１の一方のシート材に、他方のシート材とは異なる形状の把持部１２２を設けた例である。カバー１０２は、図６に示すように、実施例１におけるシート材３と、シート材３とは異なる形状の把持部領域Ｄを有するシート材５とを重ね合わせて形成されている。なお、カバー１０２は、実施例１と同形状のカバー本体部１０を有している。
【００５５】
シート材５は、シート材３と同一形状の本体領域Ａと、シート材３の把持部領域Ｂよりも延伸方向における長さが短くなるように形成された把持部領域Ｄとを連ねた形状を有している。把持部領域Ｄは、本体領域Ａと反対側へ行くにつれて次第に幅が狭くなるように形成されている。また、把持部領域Ｄの先端は、本体領域Ａと把持部領域Ｄとの境界Ｅと略平行な直線状に形成されている。なお、境界Ｅは、実施例１と同様に、本体領域Ａの接合部分の両端間を結ぶ直線として定められる。その他は実施例１と同様である。
【００５６】
本例のカバー１０２は、図６に示すように、シート材５の把持部領域Ｄからなる把持部１２２の先端部が、シート材３の把持部領域Ｂからなる把持部１２の先端部よりも開口端１１側に位置している。このように、把持部の形状は特に限定されることはなく、２枚のシート材のそれぞれに形成されていれば、実施例１と同様の作用効果を奏することができる。なお、本例のカバー１０２は、シート材３と磁力発生面２０１とが当接するように吸着ヘッド部２０に装着してもよく、シート材５と磁力発生面２０１とが当接するように装着してもよい。美容剤４の散逸を低減する観点からは、シート材３と磁力発生面２０１とが当接するように吸着ヘッド部２０に装着することが好ましい。
【００５７】
（実施例３）
本例のカバー１０３は、実施例１におけるカバー１の一方のシート材に、本体領域Ａのみからなるシート材を用いた例である。カバー１０３は、図７に示すように、実施例１におけるシート材３と、本体領域Ａのみからなる形状を有するシート材６とを重ね合わせて形成されている。これにより、カバー１０３は、実施例１と同形状のカバー本体部１０と、カバー本体部１０から延設された１つの把持部１２を有している。その他は実施例１と同様である。
【００５８】
カバー１０３は、吸着ヘッド部２０に対して、シート材３と磁力発生面２０１とが当接するようにして装着することが好ましい。これにより、カバー１０３を表裏反転変形する際に、美容剤４の吸着している磁力発生面２０１側に、その反対側よりも先行して折り返し部分１５を形成することができる。なお、この場合において、シート材６側は、シート材３側の表裏反転変形が進展するにつれて、自然に表裏反転変形が行われる。
【００５９】
このように、リムーバー用カバー１に設けられる把持部１２は１つ以上であればよく、当該把持部１２を吸着ヘッド部２０から引き剥がすようにして表裏反転変形を行うことができる。
【００６０】
なお、実施例１〜３には、２枚のシート材を接合してなるカバーの例を示したが、これに限定されることはない。例えば、柔軟性を有するシート状のプラスチック材を一端が閉塞された筒状に成形すれば、実施例１と同様の作用効果を有するカバーを得ることができる。
【００６１】
また、カバー本体部１０や把持部１２の形状も、磁力発生面２０１を覆うことができ、かつ表裏反転変形が可能な形状であれば上記の実施例に限定されることはない。
【符号の説明】
【００６２】
１  リムーバー用カバー
１０  本体部
１１  開口端
１２  把持部
２  リムーバー
２０  吸着ヘッド部
２０１  磁力発生面
【図１】
2014033949.tif 000003
【図２】
2014033949.tif 000004
【図３】
2014033949.tif 000005
【図４】
2014033949.tif 000006
【図５】
2014033949.tif 000007
【図６】
2014033949.tif 000008
【図７】
2014033949.tif 000009